(57)【要約】【課題】乗車した複数人のユーザの関係を考慮した、ラストモードへの復帰を行う「車載機器」を提供。【解決手段】１以上の携帯端末が近距離通信で接続される車載機器であって、通電停止の際のコンテンツの停止直前のラストモードのレジューム情報を、接続していた１以上の前記携帯端末の識別情報と関連付けて記憶する記憶手段と、通電開始により接続される携帯端末の識別情報を取得する識別情報取得手段と、取得した識別情報と関連して記憶されたラストモードのレジューム情報に基づき、コンテンツをラストモードで再生を開始させるラストモード再生手段とを有し、記憶手段は、１以上の携帯端末の識別情報を、コンテンツをラストモードでの再生を行う優先度と共に記憶し、ラストモード再生手段は、取得した識別情報に関連するコンテンツのラストモードが複数のときは、優先度が最も高いラストモードで再生する構成となる。【選択図】図２
2016015614.tif 000002
【特許請求の範囲】
【請求項１】
１以上の携帯端末が近距離通信により接続される車載機器であって、
通電の停止の際におけるコンテンツの停止直前の動作モードであるラストモードについてのレジューム情報を、前記停止直前に接続していた１以上の前記携帯端末の識別情報と関連付けて記憶する記憶手段と、
通電の開始により前記近距離通信により接続される前記携帯端末の識別情報を取得する識別情報取得手段と、
取得した前記識別情報と関連して記憶された前記ラストモードのレジューム情報に基づいて、前記コンテンツを前記ラストモードで再生を開始させるラストモード再生手段と、を有し、
前記記憶手段は、前記停止直前に接続していた１以上の前記携帯端末の前記識別情報を、前記コンテンツを前記ラストモードでの再生を行う順位としての優先度と共に記憶し、
前記ラストモード再生手段は、前記通電の開始後に取得した前記識別情報に関連する前記コンテンツの前記ラストモードが複数のときは、優先度が最も高い識別情報に関連するコンテンツのラストモードで再生する車載機器。
【請求項２】
前記記憶手段に記憶された前記ラストモードのレジューム情報に基づいて、
前記ラストモード再生手段により前記コンテンツが再生を開始した後に、通電の停止があったときは、前記通電の停止の際における前記コンテンツの停止直前の動作モードであるラストモードについてのレジューム情報を、前記停止直前に接続していた１以上の前記携帯端末の識別情報と関連付けて前記記憶手段に格納するラストモード更新制御手段を更に有する請求項１に記載の車載機器。
【請求項３】
前記記憶手段に前記レジューム情報を、前記停止直前に接続していた１以上の前記携帯端の１部の携帯端末の識別情報と関連付けて記憶する請求項１又は２に記載の車載機器。
【請求項４】
前記ラストモードについての前記レジューム情報は、前記コンテンツが記録媒体に記録されるときは前記コンテンツのラストポジションを含む請求項１乃至３のいずれかに記載の車載機器。
【請求項５】
前記レジューム情報は、更に前記停止直前のラストモードの動作状況を再現する設定条件を含んで成る請求項１乃至４のいずれかに記載の車載機器。
【請求項６】
前記識別情報の優先度は、所定の条件によって異なるように設定することができる請求項１乃至５のいずれかに記載の車載機器
【請求項７】
前記識別情報は、前記近距離通信による接続の際に要求される前記携帯端末のＩＤ情報である請求項１乃至６のいずれかに記載の車載機器。
【請求項８】
前記近距離通信は、無線又は有線による近距離通信である請求項１乃至７のいずれかに記載の車載装置。
【発明の詳細な説明】
【技術分野】
【０００１】
本発明は、１以上の携帯端末が近距離通信により接続される車載機器に関する。
【背景技術】
【０００２】
近年、カーナビゲーション装置等の車載機器と携帯端末との間では、無線ＬＡＮ等の近距離無線通信を介した接続により、携帯端末のアプリケーションを車載機器で利用可能とし、さらに接続の解除とその後の再接続とを行ったときに、接続解除直前のアプリケーションの動作状態を示す、いわゆるラストモードを車載機器等で記憶することにより、再接続時に接続解除直前のアプリケーションの動作状態での再開を可能とする機器連携システム等が提案されている（例えば、特許文献１参照）。
【先行技術文献】
【特許文献】
【０００３】
【特許文献１】特開２０１２−２１７１３０号公報
【発明の概要】
【発明が解決しようとする課題】
【０００４】
上記した特許文献１は、具体的には、外部機器から取得した機器ＩＤをもとに、対応関係を参照し、機器ＩＤに対応するレジューム情報を取得し、この取得したレジューム情報に従って、再接続した外部機器との前回の接続の解除を判断した時点まで利用中だったアプリケーションの状態から再開する技術を開示するものであり、携帯端末を使用する各ユーザに応じた最適なラストモードに復帰させることが可能となる。
【０００５】
しかしながら、上記した特許文献１に記載の技術によれば、単一・個人のユーザに対して再接続したときに、各ユーザに応じた最適なラストモードに復帰させることは可能であるが、複数のユーザが乗車したことを検出し、その複数のユーザの関係性をもとに、最適なラストモードへ移行させることについては考慮されていない。
【０００６】
例えば、図４に示すように、前々回の車両への乗車が、母Ｂ、子供（長男）Ｃ及び子供（二男）Ｄのときに、母Ｂが子供達のために、車載機器でＤＶＤのＭｏｖｉｅを再生したが、再生の途中、目的地到着により車両のＡＣＣ電源をＯＦＦにすると、ＯＦＦにする直前のＭｏｖｉｅとその再生位置（ｐｏｓｉｔｉｏｎ）がラストモードのレジューム情報として車載機器に記憶されている。そして、前回の車両への乗車が、父Ａの単独乗車で、乗車中はＨＤＤに記録されたＭｕｓｉｃを再生し、その後ＡＣＣ電源のＯＦＦにより、ＯＦＦ直前の当該Ｍｕｓｉｃとその再生位置がラストモードのレジューム情報として記憶されている。
【０００７】
そして、今回、車両への乗車が父Ａと、子供（長男）Ｃ及び子供（二男）Ｄのときに、本来は子供達に合わせて前々回のラストモードであるＤＶＤのＭｏｖｉｅを途中（ラストＰｏｓｉｔｉｏｎ）から再生することが望まれるが、今回と前回の乗車が父Ａであることから、前回のラストモードであるＨＤＤのＭｕｓｉｃの前回位置から再生されてしまうことになる。このように、乗員が複数のユーザである場合に、ユーザ間の関係を考慮したラストモードへの復帰がなされていないことになる。この場合、子供達に合わせた前々回の乗車のときのラストモードでの再生も可能であるが、乗車時にスマートフォン等の携帯端末、又は車載機器のいずれかを操作する必要があり、ユーザの利便性の向上を図るという点において難がある。
【０００８】
本発明は、複数のユーザが乗車したときに、複数人のユーザの関係をも考慮した、ラストモードへの優先的な復帰を容易に行うことができる車載機器の提供を目的とする。
【課題を解決するための手段】
【０００９】
本発明に係る車載機器は、１以上の携帯端末が近距離通信により接続される車載機器であって、通電の停止の際におけるコンテンツの停止直前の動作モードであるラストモードについてのレジューム情報を、前記停止直前に接続していた１以上の前記携帯端末の識別情報と関連付けて記憶する記憶手段と、通電の開始により前記近距離通信により接続される前記携帯端末の識別情報を取得する識別情報取得手段と、取得した前記識別情報と関連して記憶された前記ラストモードのレジューム情報に基づいて、前記コンテンツを前記ラストモードで再生を開始させるラストモード再生手段と、を有し、前記記憶手段は、前記停止直前に接続していた１以上の前記携帯端末の前記識別情報を、前記コンテンツを前記ラストモードでの再生を行う順位としての優先度と共に記憶し、前記ラストモード再生手段は、前記通電の開始後に取得した前記識別情報に関連する前記コンテンツの前記ラストモードが複数のときは、優先度が最も高い識別情報に関連するコンテンツのラストモードで再生する構成である。
【００１０】
このような構成によれば、コンテンツのラストモードについてのレジューム情報を、コンテンツの停止直前に接続していた１以上の携帯端末の識別情報と関連付けて記憶する際に、コンテンツをラストモードで再生を行う優先度を共に記憶するので、通電の開始後に取得した識別情報に関連するコンテンツのラストモードが複数あるときに、優先度が最も高い識別情報に関連するコンテンツのラストモードで再生をするので、携帯端末を所持する複数のユーザが乗車したときには、複数のユーザの関係をも考慮した、ラストモードへの優先的な復帰を容易に行うことができる。
【００１１】
例えば、乗員がＡＢＣの３名のときに、３名が所持する携帯端末であるスマートフォン（以下、適宜「スマホ」と略す）の各識別情報を近距離通信により車載機器が取得し、優先度が最も高い識別情報に関連するコンテンツのラストモードで再生するものであるが、このうちＡＢ２名のスマホの識別情報（２個の識別情報）が最も優先度が高いときは、ＡＢ２名の識別情報に関連付けられたコンテンツをラストモードで再生することができるので、複数のユーザの関係を考慮した、ラストモードへの優先的な復帰が可能となる。
【００１２】
本発明に係る車載機器において、前記記憶手段に記憶された前記ラストモードのレジューム情報に基づいて、前記ラストモード再生手段により前記コンテンツが再生を開始した後に、通電の停止があったときは、前記通電の停止の際における前記コンテンツの停止直前の動作モードであるラストモードについてのレジューム情報を、前記停止直前に接続していた１以上の前記携帯端末の識別情報と関連付けて前記記憶手段に格納するラストモード更新制御手段を更に有する構成とすることができる。
【００１３】
このような構成によれば、ラストモードで再生したコンテンツが通電の停止により途中で停止したときは、その停止直前の動作モードであるラストモードについてのレジューム情報を、停止直前に接続していた１以上の前記携帯端末の識別情報と関連付けて記憶手段に格納するので、ラストモードが更新されることになり、ラストモードへの復帰が継続して可能となる。
【００１４】
本発明に係る車載機器において、前記記憶手段に前記レジューム情報を、前記停止直前に接続していた１以上の前記携帯端末の１部の携帯端末の識別情報と関連付けて記憶する構成とすることができる。
【００１５】
このような構成によれば、前記記憶手段に前記レジューム情報を、コンテンツの停止直前に車載機器に接続していた１以上の携帯端末の１部の携帯端末の識別情報と関連付けて記憶することで、携帯端末を所持する複数のユーザが乗車したときには、複数のユーザの関係をも考慮した、ラストモードへの優先的な復帰が可能となる。例えば、母と２人の子の合計３人が乗車したときに、乗車中に再生していたコンテンツのラストモードのレジューム情報を、２人の子の所持する２台のスマホの識別情報と関連付けて記憶することができるので、後に父と２人の子の合計３人が乗車したときに、２人の子の２台のスマホの識別情報を基に前回のラストモードでコンテンツの再生が可能となる。
【００１６】
本発明に係る車載機器において、前記ラストモードについての前記レジューム情報は、前記コンテンツが記録媒体に記録されるときは前記コンテンツのラストポジションを含む構成とすることができる。
【００１７】
このような構成によれば、ラストモードにコンテンツのラストポジションを含むので、コンテンツを停止直前のラストポジションから再生できるので、ラストモードへの復帰がより正確なものとなり、ユーザの便宜に供することができる。
【００１８】
本発明に係る車載機器において、前記レジューム情報は、更に前記停止直前のラストモードの動作状況を再現する設定条件を含んで成る構成とすることができる。
【００１９】
このような構成によれば、コンテンツをラストモードで再生開始するときに、コンテンツのラストポジションの他に、ラストモードの動作状況である、例えば、音量、音場（運手席付近、車内全体等）等の各種モードを再現することができ、ラストモードへの復帰がより正確なものとなり、ユーザの便宜に供することができる。
【００２０】
本発明に係る車載機器において、前記識別情報の優先度は、所定の条件によって異なるように設定することができる構成とすることができる。
【００２１】
このような構成によれば、優先度を所定の条件（時間的条件等）によって異なるようにできるので、ラストモードへの復帰をより利便性の高い、使い勝手の良いものにすることができる。所定の条件として、例えば、乗車時の時間帯、平日休日等の違いによって、識別情報の優先度を異なるものとすることができるので、ユーザのスケジュールに応じたラストモードへの優先的な復帰が可能となり、ユーザの便宜に供することができる。
【００２２】
本発明に係る車載機器において、前記識別情報は、前記近距離通信による接続の際に要求される前記携帯端末のＩＤ情報である構成とすることができる。
【００２３】
このような構成によれば、近距離通信による接続を行う際に要求される携帯端末のＩＤ情報を、ラストモードの優先度が付けられる携帯端末の識別情報とするので、近距離無線で接続されると、識別情報取得手段が容易に識別情報を取得することができる。
【００２４】
本発明に係る車載機器において、前記近距離通信は、無線又は有線による近距離通信である構成とすることができる。
【００２５】
複数のユーザが乗車したときに、所持するスマホ等の携帯端末の識別情報を近距離通信で取得することができれば、Ｂｌｕｅｔｏｏｔｈ（登録商標）、無線ＬＡＮ等の無線近距離通信、又はＵＳＢ接続による有線近距離通信であれば、複数のユーザが乗車したときに、複数人のユーザの関係をも考慮した、ラストモードへの優先的な復帰を容易に行うことができる。
【発明の効果】
【００２６】
本発明に係る車載機器によれば、車載機器への通電の開始後に取得した複数ユーザの携帯端末の識別情報に関連するコンテンツのラストモードが複数あるときに、優先度が最も高い識別情報に関連するコンテンツのラストモードで再生するので、携帯端末を所持する複数のユーザが乗車したときには、複数のユーザの関係をも考慮した、ラストモードへの優先的な復帰を容易に行うことができ、特別な操作を要することなく、ラストモードへの復帰を要望に沿った利便性の高いものとすることができる。
【図面の簡単な説明】
【００２７】
【図１】図１は、本発明の実施形態に係る車載装置の構成を示すブロック図である。
【図２】図２は、図１に示す車載装置の処理ユニットによる処理手順を示すフローチャートである。
【図３】図３は、図１に示す記憶部に記憶される、携帯端末の識別情報、各携帯端末との接続におけるラストモードについてのレジューム情報、及び携帯端末に関するラストモード再生の優先度等とから成る優先度リストを示す図である。
【図４】図４は、従来のラストモード再生の概略内容を示す説明図である。
【発明を実施するための形態】
【００２８】
本発明の実施の形態について図面を用いて説明する。
【００２９】
本発明の実施の一形態に係る車載機器は、図１に示すように構成される。
【００３０】
図１に示すように、この車載機器１０は、コンピュータユニット（例えば、ＣＰＵ、ＲＡＭ、ＲＯＭ及びバス等を含む）によって構成される制御ユニット１１を有し、表示部１２と、表示部１２に含まれるタッチパネル及び種々の操作ボタン等で構成される操作部１３が制御ユニット１１に接続されている。また、制御ユニットには、各種音源及び映像源（例えば、ＣＤ、ＤＶＤ等）の再生処理や、ＦＭ／ＡＭ等のラジオ放送についての受信・再生処理が可能なＡＶユニット１７、自車両のルート案内等のナビゲーション処理を行うナビゲーションユニット１８、及びスピーカ１６に接続される出力回路１５が接続されている。そして、制御ユニット１１の制御のもとで、ＡＶユニット１７及びナビゲーションユニット１８の処理に基づいた音声信号が出力回路１５を介してスピーカ１６に供給され、この音声信号に基づいた音がスピーカ１６から出力される。更に、制御ユニット１１には、ＡＶユニット１７及びナビゲーションユニット１８にて利用される楽曲情報、映像情報及び地図情報等の車載機器１０において利用される各種情報、後述するスマホ等の携帯端末の識別情報とその優先度、コンテンツのラストモードについてのレジューム情報等が記憶される記憶部１４（例えば、ハードディスク、フラッシュメモリ等）が接続されている。
【００３１】
車載機器１０は、無線通信ユニット２０を有する。この無線通信ユニット２０は、制御ユニット１１の制御のもと、所定の移動体通信網を利用した無線通信（例えば、第３世代移動体無線通信（３Ｇ））が可能であると共に、Ｂｌｕｅｔｏｏｔｈ（適宜「ＢＴ」と略す）通信による近距離無線通信が可能である。無線通信ユニット２０は、携帯端末であるスマホ２１ａ、２１ｃ、２１ｄとの間において、ペアリング処理、認証等により近距離無線通信が可能となる。後述するように、ＢＴ通信のペアリング処理に使用するＩＤ情報を、スマホ２１ａ、２１ｃ、２１ｄの識別情報として使用する。なお、本実施形態では、携帯端末と車載機器との無線通信をＢＴによるが、これに限定するものではなく、例えば、無線ＬＡＮ等を使用した無線通信を行ってもよく、更にはＵＳＢ等による有線通信を行ってもよい。
【００３２】
次に、図３を参照して、記憶部１４に記憶される携帯端末の識別情報であるＢＴ用ＩＤ（検出ＩＤ）と、その識別情報に関連するコンテンツのラストモードについてのレジューム情報であるラストコンテンツ及びそのポジションを記憶する優先度リストを説明する。
【００３３】
図３に示すように、記憶部１４に記憶される優先度リストは、優先度、ユーザ名、ＢＴ用ＩＤ（検出ＩＤ）、ラストモードのレジューム情報であるラストソース、ポジション、動作状況から成るリスト表である。車載機器１０を利用するユーザが、乗車時に前回乗車時に視聴したコンテンツをラストモードからの再生を可能とするためのもので、ユーザが複数名乗車した時に、１以上のユーザとの間で再生するラストモードの優先順位である優先度を予め定めたものである。
【００３４】
図３において、再生するラストモードの優先度は、ユーザとの関係で予め設定される。図３では、ユーザ名が子供（長男）Ｃ＆子供（二男）Ｄのときを優先度が第１位に設定している。そして、この２名の子供（長男）Ｃ＆子供（二男）Ｄが乗車したことを車載機器１０が検出する識別情報である検出ＩＤは、近距離無線通信であるＢＴ通信のペアリングの際に携帯端末を認識するためのＢＴ用ＩＤ（例えば、ＰＩＮコード等）が使用される。したがって、この優先度リストによるラストモードの再生を利用するユーザは、自己所持のスマホ等（携帯端末）について、車載機器１０とＢＴ通信のペアリングで使用するＢＴ用ＩＤを取得し、取得したＢＴ用ＩＤをスマホ等（携帯端末）の検出ＩＤ（識別情報）として、ユーザ名と共に優先度リストに記憶させる。
【００３５】
したがって、ユーザ名が子供（長男）Ｃ＆子供（二男）Ｄの２名としたときは、子供（長男）Ｃと子供（二男）Ｄの所持するスマホのＢＴ用ペアリングのＩＤ（「ＩＤ＠Ｃ＊＊＊」＆「ＩＤ＠Ｄ＊＊＊」）を検出ＩＤとして記憶させる。上記のように、ユーザが子供（長男）Ｃと子供（二男）Ｄの２名（Ｃ＆Ｄ）のときを優先度が第１位としたが、子供（長男）Ｃと子供（二男）Ｄをそれぞれ単独で優先度の登録を記憶させることもできる。図３に示すように、ユーザ名はそれぞれ子供（長男）Ｃと子供（二男）Ｄを単独で、ＢＴ用ＩＤ（検出ＩＤ）と共に登録することができる。図３では、それぞれ子供（長男）Ｃと子供（二男）Ｄとを同じ優先度第２位としたが、異なる優先度の設定で登録することも可能である。
【００３６】
図３に示すように、父Ａと母Ｂの２名を夫婦として優先度を第３位に、また父Ａと同僚Ｆの２名を優先度第４位に、さらに父Ａと母Ｂをそれぞれ単独で優先度を第５位として、識別情報であるＢＴ用ＩＤ（検出ＩＤ）と共に優先度リストに記憶させている。このような優先度を設定して記憶させることで、例えば母Ｂ、子供（長男）Ｃ及び子供（二男）Ｄの３名が乗車して、車載機器でＤＶＤの「Ｍｏｖｉｅ  Ｍ１」を「音量：中」、「音場：室内全体」）で視聴したところ、途中で目的地に到着し、ＡＣＣ電源のＯＦＦにより「Ｍｏｖｉｅ  Ｍ１」が所定位置の「Ｐｏｓｉｔｉｏｎ  Ｐ１」で車載機器による再生が停止したときに、コンテンツのラストモードのレジューム情報として、「ＤＶＤ  Ｍｏｖｉｅ  Ｍ１／Ｐｏｓｉｔｉｏｎ  Ｐ１」とそのときの動作状況である（「音量：中」、「音場：室内全体」）が、優先度第１位の検出ＩＤ（「ＩＤ＠Ｃ＊＊＊」＆「ＩＤ＠Ｄ＊＊＊」）と関連付けて優先リストのラストコンテンツ／ポジション／動作状況の欄に記録される。なお、車載機器での上記「ＤＶＤ  Ｍｏｖｉｅ  Ｍ１」視聴のときには、優先度第５位の母Ｂも乗車していたが、優先度リストへのラストモードの記憶は、優先度が第１位の子供（長男）Ｃ及び子供（二男）に関連付けて記憶される。
【００３７】
同様に、父Ａと母Ｂとが２人で乗車中にＨＤＤに記憶されている「Ｍｕｓｉｃ  Ｍｕ１」を（「音量：中」、「音場：運転席中心」）で視聴したところ、ＡＣＣ電源のＯＦＦによるコンテンツの停止の際は、優先度第５位の父Ａ、同じく母Ｂよりも、優先度第３位の父Ａ＆母Ｂ（夫婦）のラストモードとして、そのレジューム情報として、「ＨＤＤ  Ｍｕｓｉｃ  Ｍｕ１／Ｐｏｓｉｔｉｏｎ  Ｐ５」とそのときの動作状況である（「音量：中」、「音場：運転席中心」）が、優先度第３位の検出ＩＤ（「ＩＤ＠Ａ＊＊＊」＆「ＩＤ＠Ｂ＊＊＊」）と関連付けて優先リストのラストコンテンツ／ポジション／動作状況の欄に記憶される。
【００３８】
優先度リストに記憶されるラストモードのコンテンツとしては、上記したＤＶＤ、ＨＤＤに記憶されたコンテンツに限定されることなく、テレビ、ラジオ等の放送番組も含まれる。なお、ＤＶＤ、ＨＤＤ等に記憶されたコンテンツの場合には、ラストモードのレジューム情報にラストコンテンツのラストポジションも含んでいるが、放送番組の場合には最新の放送を視聴することが目的であるから、ラストモードのレジューム情報にはポジションの記憶は含まれない。
【００３９】
次に、本実施形態に係る車載機器１０の動作について、その動作手順のフローチャートを示す図３を参照して説明する。動作手順の説明を具体的にすべく、父Ａ、子供（長男）Ｃ及び子供（二男）Ｄの３名が車両に乗車する場合を説明する。そして、図１に示すように、父Ａはスマホ２１ａ、子供（長男）Ｃはスマホ２１ｃ、子供（二男）Ｄはスマホ２１ｄを所持し、記憶部１４には、図３に示す優先度リストが記憶されており、スマホ２１ａ、２１ｂ、２１ｃはそれぞれ検出ＩＤとしてＢＴ用ＩＤも記憶されている（「ＩＤ＠Ａ＊＊＊」、「ＩＤ＠Ｃ＊＊＊」及び「ＩＤ＠Ｄ＊＊＊」）。
【００４０】
図２に示すように、車載機器１０が搭載された車両（不図示）に、父Ａ、子供（長男）Ｃ及び子供（二男）Ｄが乗車し、ＡＣＣ電源をＯＮに入れると車載機器１０が通電状態となり（Ｓ１１）、以下の動作へと続く。
【００４１】
制御ユニット１１は、ＡＣＣ電源がＯＮになると、無線通信ユニット２０を介した近距離無線通信（ＢＴ）により、乗員の所持する携帯端末の識別情報であるＢＴ用ＩＤを取得するためにその検出を行う（Ｓ１２：識別情報取得手段）。ＢＴ用ＩＤが検出されず取得できないときは（Ｓ１２のＮＯ）、識別情報による携帯端末の特定ができないことから、対応するラストモードに復帰させることができない。そのため、ＢＴ用ＩＤの検出による取得が優先度リストに基づくラストモード復帰開始の条件となる。
【００４２】
制御ユニット１１は、ＢＴ用ＩＤを検出して取得すると（Ｓ１２のＹＥＳ）、取得したＢＴ用ＩＤが優先度リストに掲載されているか否かを判断し（Ｓ１３）、掲載されているときは（Ｓ１３のＹＥＳ）、検出により取得したＢＴ用ＩＤの優先度のうち、最上位の優先度のラストモードを再生する（Ｓ１４：ラストモード再生手段）。検出されたＢＴ用ＩＤは、父Ａの「ＩＤ＠Ａ＊＊＊」、子供（長男）Ｃの「ＩＤ＠Ｃ＊＊＊」及び子供（二男）Ｄの「ＩＤ＠Ｄ＊＊＊」であるが、図３の優先度リストには、子供２人の「ＩＤ＠Ｃ＊＊＊」及び「ＩＤ＠Ｄ＊＊＊」が優先度第１位、長男Ｃの「ＩＤ＠Ｃ＊＊＊」が優先度第２位、二男Ｄの「ＩＤ＠Ｄ＊＊＊」が優先度第２位、父Ａの「ＩＤ＠Ａ＊＊＊」が優先度第５位と記憶されている。
【００４３】
したがって、最上位の優先度のラストモードが再生されることから（Ｓ１４）、上記の場合には優先度第１位のラストモードで復帰することになる。この場合、ラストコンテンツが「ＤＶＤのＭｏｖｉｅ  Ｍ１」で再生開始位置として「Ｐｏｓｉｔｉｏｎ  Ｐ１」から再生されることになる。また、動作状況として記憶されている、「音量：中」、「音場：室内全体」で再生されることになる。
【００４４】
このように、ユーザが複数のとき、複数人のユーザの関係を考慮したラストモードへの復帰について、その優先度を設定し、優先リストとして車載機器１０（記憶部１４）に記憶させることができるので、例えば直前の乗車が父Ａの単独であって、視聴したコンテンツがＭｕｓｉｃで、そのラストモードが記憶されたとしても、父Ａ単独の優先度よりも、子供２人の組み合わせの優先度が最上位にあるので、子供２人のラストモードであるラストコンテンツ／ポジション／動作状況に復帰することができる。
【００４５】
したがって、本実施形態に係る車載機器１０によれば、車載機器１０への通電開始後に取得した複数ユーザの携帯端末の識別情報に関連するコンテンツのラストモードが複数あるとき、優先度が最も高い識別情報に関連するコンテンツのラストモードで再生できるので、携帯端末を所持する複数のユーザが乗車したときでも、複数のユーザの関係をも考慮した、ラストモードへの優先的な復帰を容易に行うことができ、利便性を向上させることができる。
【００４６】
上記したように優先度リストに基づいてのラストモードへの復帰がなされた後には、制御ユニット１１は、ＡＣＣ電源がＯＦＦにされたか否かにより再生の停止又は続行を決める（Ｓ１５）。制御ユニット１１は、コンテンツの再生中に停止スイッチＯＦＦにより終了された場合を除き（停止スイッチによるコンテンツの終了のときはユーザの意思によるものであるからラストモードは記憶されない）、ＡＣＣ電源がＯＦＦにされないときはその再生を続行するが（Ｓ１５のＮＯ）、コンテンツの再生途中でＡＣＣ電源がＯＦＦにされたときにはラストモードが記憶される（Ｓ１５のＹＥＳ）。具体的には、制御ユニット１１は、コンテンツの停止直前の動作モードであるラストモードについてのレジューム情報（ラストコンテンツ／ポジション／動作状況）を更新すべく、停止直前に接続していたスマホの識別情報であるＢＴ用ＩＤと関連付けて記憶部１４に記憶する（Ｓ１６：ラストモード更新制御手段）。このとき、停止直前に接続していたスマホ２１ａ、２１ｃ、２１ｄのＢＴ用ＩＤで最も優先度が高いのは、長男Ｃと次男ＤのスマホのＢＴ用ＩＤの組み合わせが優先度第１位であるから、このときのラストモードの上記レジューム情報は、長男Ｃと次男ＤのスマホのＢＴ用ＩＤの組み合わせ（「ＩＤ＠Ｃ＊＊＊」及び「ＩＤ＠Ｄ＊＊＊」）と関連付けて記憶される。
【００４７】
なお、検出により取得したＢＴ用ＩＤのいずれも優先度リストに掲載されていないときは（Ｓ１３のＮＯ）、制御ユニット１１は、取得したＢＴ用ＩＤに対応するラストモードの有無を判断する（Ｓ１７）。例えば、検出により取得したＢＴ用ＩＤが優先度リストに掲載されてはいるものの、その優先度が設定されていない場合には、制御ユニット１１は、取得したＢＴ用ＩＤの優先度の判定はしないが、対応するラストモードについてのレジューム情報が記憶されているときは（Ｓ１７のＹＥＳ）、そのレジューム情報に基づいてラストモードに復帰させ、ラストモードのコンテンツを所定ポジション、動作状況で再生させる（Ｓ１８）。そして、上述したように、再生中でＡＣＣ電源がＯＦＦにされたときには（Ｓ１５のＹＥＳ）、制御ユニット１１は、ＢＴ用ＩＤに優先度が設定されていない場合でも、コンテンツの停止直前の動作モードであるラストモードについてのレジューム情報（ラストコンテンツ／ポジション／動作状況）を更新すべく、識別情報であるＢＴ用ＩＤと関連付けて記憶部１４に記憶するようにすることができる（Ｓ１６：ラストモード更新制御手段）。また、検出により取得したＢＴ用ＩＤに、優先度の記載がなく、さらに対応するラストモードも記憶されていないときは、制御ユニット１１はラストモードでのコンテンツの再生は行わない（Ｓ１７のＮＯ）。
【００４８】
上記したように、車載機器１０を搭載する車両に乗車するユーザが複数のとき、複数人のユーザの関係を考慮したラストモードへの復帰について、その優先度を設定し、優先リストとして車載機器１０（記憶部１４）に記憶させることができるので、複数のユーザが乗車したときには、複数のユーザの関係をも考慮した、ラストモードへの優先的な復帰を容易に行うことができる。
【産業上の利用可能性】
【００４９】
本発明に係る車載機器は、車載機器への通電の開始後に取得した複数ユーザの携帯端末の識別情報に関連するコンテンツのラストモードが複数あるときに、優先度が最も高い識別情報に関連するコンテンツのラストモードで再生をするので、ラストモードへの復帰をユーザの要望に沿ったより利便性の高いものとすることができるので、１以上の携帯端末が近距離通信により接続される車載機器として有用である。
【符号の説明】
【００５０】
１０    車載機器
１１    制御ユニット
１２    表示部
１３    操作部
１４    記憶部（記憶手段）
１５    出力回路
１６    スピーカ
１７    ＡＶユニット
１８    ナビゲーションユニット
２０    無線通信ユニット
２１ａ、２１ｃ、２１ｄ    スマートフォン（携帯端末）
【図１】
2016015614.tif 000003
【図２】
2016015614.tif 000004
【図３】
2016015614.tif 000005
【図４】
2016015614.tif 000006